(57)【要約】【課題】快適に撮像装置が把持できるグリップベルトとそれを備えた撮像装置を提供する。【解決手段】グリップベルト３はベルト部３Ａとパッド部３Ｂとを備え、パッド部は略掌大で断熱性を有する部分を含むようにした。パッド部３Ａを折り曲げ可能にし、一方の端部に開口部３Ｂ４を設け、一方の面の中間部にベルト部３Ａを挿通可能にした挿通部３Ｂ５を設け、ベルト部３Ａとパッド部３Ｂとをベルト部３Ａの両端が共に一方の面側に挿出するように開口部３Ｂ４と挿通部３Ｂ５とに挿通して組み合わせた。撮像装置１０Ａはこのグリップベルト３を備え、撮像装置の本体１はベルト部１０Ａの両端を取り付ける一対の取付部１１Ａ，１２Ａを備え、後方側の取付部１１Ａの位置から本体の前面１ａまでの距離Ｌ１よりもパッド３Ｂの長さを長くした。【選択図】　　　図１
2004117967.tif 000002
【特許請求の範囲】
【請求項１】
撮像装置を携帯保持する手に当てるパッド部と、前記パッド部と組み合わされて前記手を締めつけるベルト部とを備えたグリップベルトにおいて、
前記パッド部は、略掌大で断熱性を有する部分を含んでなることを特徴とするグリップベルト。
【請求項２】
ベルト部と、
撮像装置を把持する手に当てる略平板状のパッド部とを備え、
前記パッド部に設けられた開口部又は挿通部に前記ベルト部を通すことで前記ベルト部と前記パッド部とを組み合わせて成る、前記撮像装置に取り付けられて前記手を締めつけ可能としたグリップベルトにおいて、
前記パッド部をその中間部で折り曲げ可能にし、その一方の端部近傍に開口部を設けると共に一方の面の中間部に端部を開口して前記ベルト部を挿通可能にした袋状の挿通部を設け、
前記ベルト部と前記パッド部とを、前記ベルト部の両端が共に前記一方の面側に挿出するように前記開口部と前記挿通部とに挿通して組み合わせる構成にしたことを特徴とするグリップベルト。
【請求項３】
前記パッドの一方側は、略掌大で断熱性を有していることを特徴とする請求項２記載のグリップベルト。
【請求項４】
ベルト部と、
撮像装置を把持する手に当てる略平板状の第１及び第２のパッドを備え、
前記第１及び第２のパッドのそれぞれに設けられた開口部又は挿通部に前記ベルト部を通すことで前記ベルト部と前記第１及び第２のパッドとを組み合わせて成る、前記撮像装置に取り付けられて前記手を締めつけ可能としたグリップベルトにおいて、
前記ベルト部と前記パッド部とを、
前記ベルト部を伸張したときに前記第１のパッドと前記第２のパッドとが対向して接触するように組み合わせる構成にしたことを特徴とするグリップベルト。
【請求項５】
前記第１のパッドは、略掌大で断熱性を有していることを特徴とする請求項４記載のグリップベルト。
【請求項６】
少なくとも撮像レンズと撮像素子とを有する本体を手で把持して撮影可能な撮像装置であって、
前記本体に、請求項１乃至５のいずれか１項に記載のグリップベルトを取り付けて成ることを特徴とする撮像装置。
【請求項７】
前記本体に前記ベルト部の両端を取り付ける一対の取付部を設け、その内の後方側に備えた取付部の位置から前記本体の前面までの距離よりも前記パッドの長さを長くしたことを特徴とする請求項６記載の撮像装置。
【発明の詳細な説明】
【０００１】
【発明の属する技術分野】
本発明は、一体型ビデオカメラ等の撮像装置に用いるグリップベルト及びそれを備えた撮像装置に関する。
【０００２】
【従来の技術】
従来、カメラとビデオテープレコーダ（ＶＴＲ）とを一体化した撮像装置においては、本体のグリップ部に備えられたグリップベルトが、このベルトと本体との間に挿入した手の甲を適度に締めつけることで、撮影者が安定して本体を保持できるようにした構造が一般的になっている。
さらに、手の甲への締めつけによる圧迫感を緩和するために、グリップベルトの甲に当たる部分に柔らかい甲当てパッドを具備したベルトとそのベルトを備えた撮像装置が知られている。
【０００３】
このグリップベルトとそれを備えた撮像装置の一例を図１２に示す。
図１２（ａ）は、その撮像装置１００の斜視図であり、図１２（ｂ）は図１２（ａ）において、撮像装置１００を手で保持した状態でのＹ−Ｙにおける概略断面図である。
レンズ１０２を前方に備えた本体１００の側面１００ｃには突出したグリップ部１０１が設けられており、側面１００ｃの前面側と後面側にはそれぞれグリップベルト１０４を通す孔１０６を有する支持具１０３Ａ，１０３Ｂが設けられている。
【０００４】
グリップベルト１０４は、その後端が支持具１０３Ａの孔１０６に通した後抜けないように取り付けられており、前端は、支持具１０３Ｂの孔１０６に通された後に折り返される。
そして、このベルトの前端と中間部とに取り付けられた雌雄一対で固定と取り外しが自在の簡易固定テープ１０７ａ，１０７ｂを係着することで支持具間が最適の長さで簡易固定できるように構成されている。
手の甲を押圧するパッド１０８は柔らかい材料で形成され、一対の簡易固定テープ１０９ａ，１０９ｂを係着させてベルト１０４を挟み込むように簡易固定される。
【０００５】
このグリップベルト１０４とグリップ部１０１との間に撮影者が手を挿入するならば、手のひら側が直接グリップ部に接触すると共に手の甲側がパッド１０８で押圧され、安定して本体を把持できる構成になっている。
【０００６】
一方、近年のデジタル方式の普及により撮像装置は急速に小型化し、それに伴って「縦型」と呼ばれる形態のカメラとＶＴＲとを一体化した撮像装置が一般化してきた。
この「縦型」の撮像装置の一例を特許文献１に示し図１３を用いて説明する。
【０００７】
【特許文献１】
特開２０００−１９６９２８号公報
【０００８】
この特許文献１には、上述したような、手のひらを直接本体２００に当て、手の甲をパッド２０２を当てて締め付ける構造のグリップベルト２０１を備え、このグリップベルト２０１の一端２０１Ａを本体２００の後面に、また、他端２０１Ｂを底面に固定した撮像装置が記載されている。
そして、この構成によれば、撮影者の手の大きさに制約を受けることなく確実に保持が可能で安定した撮影が行えることが記載されている。
【０００９】
【発明が解決しようとする課題】
ところが、これらの従来の撮像装置においては、保持する手が直接グリップ部に接していることで数々の問題が生じていた。
まず、撮像装置がグリップ部に熱源であるバッテリーを有する構造にすると、動作時のバッテリの発熱によってグリップ部の温度が上昇して手が熱くなってしまう。そのため、撮影時に手が汗ばんで不快感が生ずる可能性があった。
また、グリップ部表面の凹凸が直接手に当たってしまうことによる不快感で長時間の撮影が困難になる可能性があった。
【００１０】
また、これを解決するために、グリップ部の外形形状をできるだけ手の形に合わせた凹凸のない形状にしたりグリップ部にバッテリ等の熱源を配置しないという工夫が必要となり、設計やデザインの制約になっていた。
さらに、グリップ部は通常樹脂を射出成形して形成しているが、バリ等で手に傷をつけないように、手が接触する部分の金型の仕上げを精度よく行う必要があり、金型や部品のコストアップ要因になっていた。
【００１１】
一方、撮像装置が小型化されたことにより、その本体に設けた支持具間の距離、換言すればグリップベルトの両端間の距離が手の幅に対して著しく狭くなり、手は本体側に締めつけられるだけではなく、手の幅方向からも締め付けられてしまうようになっていた。
そのため、例えば図１３における小指にベルトがかかる部分２０３や人差し指の親指側の根元部２０４は、局部的に圧迫される可能性が生じていた。
そして、これは撮影者の手が大きい場合には更に顕著になるものであった。
【００１２】
また、撮像装置が小型化すればするほど、顔面に近づけた本体を把持する上腕を体に近い位置にして、本体をほぼ垂直の方向に腕を立てて把持するのが楽な撮影体勢になるが、特許文献１の例では、手は撮像装置の後方の斜め下方向から挿入されて本体を把持するので手首を曲げる必要があり、手首に負担がかかって撮影が快適に行いにくいという問題があった。
【００１３】
そこで本発明が解決しようとする課題は、
▲１▼　グリップ部に熱源があっても保持する手に熱を伝えずに快適に撮像装置本体の保持が行える。
▲２▼　グリップ部に多少の凹凸があっても不快感がない。
▲３▼　グリップ部の外形形状に設計やデザイン上の制約が少なく、また、グリップ部を射出成形する為の金型に特別な仕上げを必要としない。
▲４▼　本体が小型であってもあるいは撮影者の手が大きくても保持する手が局部的に圧迫されない。
▲５▼　手首に負担をかけずに撮像装置本体を保持する。
という▲１▼〜▲５▼を可能にするグリップベルトとそれを備えた撮像装置を提供することにある。
【００１４】
【課題を解決するための手段】
上記の課題を解決するために、本願発明は手段として次の構成を有する。
即ち、請求項１は、撮像装置を携帯保持する手に当てるパッド部３Ｂ，３０Ｂと、前記パッド部３Ｂ，３０Ｂと組み合わされて前記手を締めつけるベルト部３Ａ，３０Ａとを備えたグリップベルト３，３０において、前記パッド部３Ｂ，３０Ｂは、略掌大で断熱性を有する部分を含んでなることを特徴とするグリップベルト３，３０であり、
請求項２は、ベルト部３Ａと、撮像装置１０Ａを把持する手に当てる略平板状のパッド部３Ｂとを備え、前記パッド部３Ｂに設けられた開口部３Ｂ４又は挿通部３Ｂ５に前記ベルト部３Ａを通すことで前記ベルト部３Ａと前記パッド部３Ｂとを組み合わせて成る、前記撮像装置１０Ａに取り付けられて前記手を締めつけ可能としたグリップベルトにおいて、前記パッド部３Ｂをその中間部で折り曲げ可能にし、その一方の端部近傍に開口部３Ｂ４を設けると共に一方の面の中間部に端部を開口して前記ベルト部３Ａを挿通可能にした袋状の挿通部３Ｂ５を設け、
前記ベルト部３Ａと前記パッド部３Ｂとを、前記ベルト部３Ａの両端が共に前記一方の面側に挿出するように前記開口部３Ｂ４と前記挿通部３Ｂ５とに挿通して組み合わせる構成にしたことを特徴とするグリップベルト３であり、
請求項３は、前記パッド３Ｂの一方側３Ｂ１は、略掌大で断熱性を有していることを特徴とする請求項２記載のグリップベルト３であり、
請求項４は、ベルト部３０Ａと、撮像装置を把持する手に当てる略平板状の第１及び第２のパッド３０Ｂ１，３０Ｂ２を備え、前記第１及び第２のパッド３０Ｂ１，３０Ｂ２のそれぞれに設けられた開口部３０Ｂ４又は挿通部３０Ｂ５に前記ベルト部３０Ａを通すことで前記ベルト部３０Ａと前記第１及び第２のパッド３０Ｂ１，３０Ｂ２とを組み合わせて成る、前記撮像装置１０Ｃに取り付けられて前記手を締めつけ可能としたグリップベルト３０において、前記ベルト部３０Ａと前記パッド部３０Ｂとを、前記ベルト部３０Ａを伸張したときに、前記第１のパッド３０Ｂ１と前記第２のパッド３０Ｂ２とが対向して接触するように組み合わせる構成にしたことを特徴とするグリップベルト３０であり、
請求項５は、前記第１のパッド３０Ｂ１は、略掌大で断熱性を有していることを特徴とする請求項４記載のグリップベルト３０であり、
請求項６は、少なくとも撮像レンズと撮像素子とを有する本体１を手で把持して撮影可能な撮像装置１０Ａ，１０Ｂであって、前記本体１に、請求項１乃至５のいずれか１項に記載のグリップベルト３，３０を取り付けて成ることを特徴とする撮像装置１０Ａ，１０Ｂであり、
請求項７は、前記本体１は前記ベルト部１０Ａの両端を取り付ける一対の取付部１１Ａ，１２Ａを備え、その内の後方側に備えた取付部１１Ａの位置から前記本体の前面１ａまでの距離Ｌ１よりも前記パッドの長さを長くしたことを特徴とする請求項６記載の撮像装置１０Ａ，１０Ｂである。
【００１５】
【発明の実施の形態】
本発明の実施の形態を、好ましい実施例により図１乃至図１１により説明する。
【００１６】
図１は、本発明のグリップベルトの第１実施例とそれを備えた撮像装置を示す外観斜視図であり、
図２は、本発明のグリップベルトの第１実施例とそれを備えた撮像装置を示す側面図であり、
図３は、本発明の撮像装置の一例における本体要部を説明する部分斜視図であり、
図４は、本発明のグリップベルトの第１実施例を示す斜視図であり、
図５は、本発明のグリップベルトの第１実施例における展開図であり、
図６は、本発明の撮像装置の一例における本体の要部を説明する拡大した部分斜視図であり、
図７は、本発明の撮像装置の一例における使用状態を説明する斜視図であり、図８は、本発明の撮像装置の一例における要部の使用状態を説明する斜視図であり、
図９は、本発明のグリップベルトの第２実施例を示す斜視図であり、
図１０は、本発明のグリップベルトの第２実施例とそれを備えた撮像装置を示す斜視図であり、
図１１は、本発明のグリップベルトの第１，第２実施例を備えた撮像装置を説明する模式図である。
【００１７】
＜第１実施例＞
まず、本発明のグリップベルトの第１実施例とそれを備えた撮像装置について説明する。
図１に示すように、撮像装置１０Ａは、撮影レンズ５，撮像素子，回路基板，記録媒体としてデジタルビデオテープを用いた記録再生部及び制御部（撮像レンズ以外は図示せず）を内蔵して略直方体に形成された本体１と、その左側面１ｂに着脱可能に備えられたバッテリー２及びバッテリ２の外側に配設されたグリップベルト３と、本体１の右側面１ｃに備えられた液晶モニター４とからなる。
【００１８】
（１）本体１について
まず、本体１について詳述する。
本体１の前面１ａには、ズームレンズ部５とリモートコントロール信号受光部６と前面１ａから突出した指掛け部７とが備えられている。
本体１の天面１ｄには、撮影制御用の釦８が備えられている。
本体１の右側面１ｃには、２軸の自由度を持つヒンジ４Ａが設けられ、このヒンジ４Ａによって液晶表示部４Ｂの開閉とその自由な角度からの観察が可能とされる。
本体１の後面１ｅの上方には、固定式ファインダー９が備えられ、アイキャップ９Ａが取り付けられている。
本体１の左側面１ｂには、薄型のバッテリー２が着脱自在に取り付けられる。
そして、左側面１ｂの後方の中間部には、後述するグリップベルト３のベルト部３Ａを挿通する孔１１Ａａが開口したベルト支持具１１Ａが突出して設けられている。
さらに前方の下部には、凹部１２を設け、その凹部１２に支持シャフト１２Ａが前後方向を軸とする向きで固定される（図３参照）。
【００１９】
（２）グリップベルトについて
次に、グリップベルト３について図２，図４〜図６を用いて詳述する。
グリップベルト３は、ベルト部３Ａとパッド３Ｂとからなり、これを展開した形状を図５に示す。
撮像装置１０Ａの本体１に取り付けて使用する際には、パッド３Ｂをその中間部の折り曲げ部３Ｂ３で緩やかに折り曲げる。この中間部は、パッド３Ｂの中央である必要はなく、両端間の任意の位置を意味するものである。
その折り曲げによって内側になる面から見た図が図５（ａ）であり、外側となる面から見た図が図５（ｂ）である。
【００２０】
図５（ａ）において、パッド３Ｂは、短冊状のメインパッド３Ｂ０と、そこから大きく張り出した二つの張り出し部を有する形状に形成される。
メインパッド３Ｂ０の長手方向の長さＬ３は、撮像装置１０Ａの支持具１１Ａから本体１の前面１ａまでの距離Ｌ１（図２参照）よりも長く形成されている。
二つの張り出し部分の一方は、使用時に本体１に装着されたバッテリ２をほぼ覆うような大きさに張り出して掌を当てる、ひら当て部３Ｂ１であり、他方は図５（ａ）の向こう側へ折り返す、甲当て部３Ｂ２である。
【００２１】
二つの張り出し部を連結する部分は、上述したように、パッド３Ｂを折り曲げる折り曲げ部３Ｂ３である。
メインパッド３Ｂ０のひら当て部３Ｂ１側端部には、ベルト部３Ａを挿通する孔３Ｂ４が設けられている。
【００２２】
図５（ｂ）において、折り曲げ部３Ｂ３の表面に、別部材を取り付けてその間にベルトを通せるようにした挿通部３Ｂ５が設けられる。
甲当て部３Ｂ２とメインパッド３Ｂ０とには、雄雌からなる一対の簡易固定テープ３Ｄ１，３Ｄ２が取り付けられる。
【００２３】
パッド３Ｂは、緩衝性を有するように形成され、材料として、例えば塩化ビニールを用いることができる。また、この内部にスポンジ等の緩衝材を入れて形成してもよい。
特に、ひら当て部３Ｂ１は、断熱性を有するように形成するか内部に断熱材３Ｅを入れるのが好ましいものである。
緩衝性により手への締め付けにおける圧迫感が低減でき、断熱性によりバッテリからの手への熱の移動が抑制できるからである。
【００２４】
ベルト部３Ａは、材料の一例として塩化ビニールを使用して形成される。
図５（ａ）において、ベルト部３Ａは、パッド３Ｂの孔３Ｂ４の奥側から手前側に挿通され、図の右端で奥側に折り返し、反対側（図５（ｂ）参照）で挿通部３Ｂ５に挿通することでパッドと組み合わされている。
そして、ベルト部３Ａの一方の面の一端側と中間部とには、雄雌からなる一対の簡易固定テープ３Ｃ１，３Ｃ２が取り付けられる。
ベルト部３Ａの他端側は、ほつれ止め３Ａ２を介してループ状の輪部３Ａ１が形成される。この他端側の処理は、必ずしもほつれ止めを用いなくてもよく、ループ状の輪舞でなくてもよい。
【００２５】
次に、このグリップベルト３を撮像装置１０Ａに取り付ける方法について図３，図４及び図６を用いて説明する。
図４は、グリップベルト３を撮像装置に取り付ける直前の形態を示している。
パッド３Ｂは、折り曲げ部３Ｂ３でほぼ反転する程度に緩やかに折り曲げられる。
ベルト部３Ａの輪部３Ａ１側は、その輪部３Ａ１を支持シャフト１２Ａのまわりに略一周させた後、その輪にパッド３Ｂをくぐらせて引っ張ることで支持シャフト１２Ａに締結する（図６参照）。
【００２６】
一方、他端は、支持具１１Ａの孔１１Ａａに図３の手前側から挿通させてから折り返し、後述する把持状態で最適な感触が得られるように引っ張って長さを調節した後、一対の簡易固定テープ３Ｃ１，３Ｃ２を係着して簡易固定させる。
その後、甲当て部３Ｂ２を外側に折り返し、簡易固定テープ３Ｄ１，３Ｄ２とを係着してベルト部３Ａを隠すようにこれを簡易固定させる。
【００２７】
このようにしてグリップベルト３を取り付けた撮像装置１０Ａの側面図を図２に示す。
上述のように、パッド３Ｂはひら当て部３Ｂ１がバッテリー２をほぼ覆うような形状にされている。
また、折り曲げ部３Ｂ３の内面が本体１の前面１ａから距離Ｌだけ前方に張り出している。このＬは固定値ではなく、撮影者の手の大きさによって最適に決まる値であり、以下に詳述する。
【００２８】
（３）把持状態について
グリップベルト３を取り付けた撮像装置１０Ａを手で把持する状態を図７，図８を用いて詳述する。
図７は、この撮像装置１０Ａを撮影者が右手で把持した状態を示している。手は、折り曲げ部３Ｂ３で緩やかに折り曲げて対向させたメインパッド３Ｂ０の間に下方から挿入され、上述のように、ベルト部３Ａを最適の締め付け感触が得られるように引っ張り、簡易固定テープにより簡易固定する。
【００２９】
この把持状態において、後面１ｅに設けたスタート／ストップボタン１３には親指が、釦８には人差し指と中指が、そして指掛け部７には薬指と小指が自然に掛かるように各部は配置される。
【００３０】
この把持状態を前方斜め下方向から見た図を図８に示す。
このグリップベルト３によれば、掌と本体１との間にひら当て部３Ｂ１が介在するので、手のひらの大部分が本体には直接接触しない。
そのため、このひら当て部３Ｂ１の緩衝性により本体側面の凹凸形状による不快感は低減されるので、快適な撮影ができると共に本体設計の制約が減り、金型は通常の仕上げで充分であるのでそのコスト上昇を防ぐという効果が得られる。
さらに、ひら当て部３Ｂ１内に断熱材３Ｅを入れることにより、本体側面に例えばバッテリー２のような熱源を配置しても手への熱の移動が抑制され快適な撮影が長時間行える。この断熱材３Ｅの材料の一例としてウレタンを用いることができる。
【００３１】
＜第２実施例＞
次に、本発明のグリップベルトの第２実施例とこれを備えた撮像装置について図９，図１０を用いて説明する。図９は一部を破断した斜視図である。
この撮像装置は、第１実施例で説明したものと同じある。
図９（ａ）に示すように、このグリップベルト３０は、第１実施例に対してパッドの甲あて部３０Ｂ２を分離したものである。
甲当て部３０Ｂ２の内側となる面には挿通部３０Ｂ２５と雌雄一対の簡易固定テープ３０Ｄ１，３０Ｄ２が設けられる。
ひら当て部３０Ｂ１の長手方向の長さＬ３０は、後述する撮像装置１０Ｂの支持具１１Ａから本体１の前面１ａまでの距離Ｌ１（図２参照）よりも長く形成されている。
【００３２】
ベルト部３０Ａは第１実施例のものと同じである。
このベルト部３０Ａは、パッド３０Ｂの一端側となる折り曲げ部３０Ｂ３に設けた挿通部３０Ｂ５に挿通され、甲当て部３０Ｂ２の挿通部３０Ｂ２５に挿通された後、パッド３０Ｂの他端側に設けた孔３０Ｂ４に通されており、これにより甲当て部３０Ｂ２とひら当て部３０Ｂ１側とがベルト部３０Ａにより組み合わされる。
【００３３】
このグリップベルト３０を備えた撮像装置を図１０に示す。
この撮像装置は実施例１で説明したものと同じである。
ベルト部３０Ａの一端の輪部３０Ａ１を、実施例１と同様に支持シャフト１２Ａ（図１０に図示せず）に締結し、他端を支持具１１Ａの孔１１Ａａに通してから折り返して最適の把持感触となるように長さを調整し、一対の簡易固定テープ３０Ｃ１，３０Ｃ２とを係着させることで簡易固定する。
その後、甲当て部３０Ｂ２の上側を外側に折り返し、一対の簡易固定テープ３０Ｄ１，３０Ｄ２を係着させてベルト部３０Ａを挟み込むように簡易固定する。
この実施例におけるグリップベルトは、図９（ｂ）のように、折り曲げ部３０Ｂ３に挿通部３０Ｂ５の替わりに孔３０Ｂ４を設け、ベルト部３０Ａはその孔３０Ｂ４に通されていてもよい。
【００３４】
この構成においては、手と本体との間に緩衝性のあるひら当て部３０Ｂ１が介在するので、手のひらの大部分が本体には直接接触しない。
そのため、このひら当て部３０Ｂ１の緩衝性により本体側面の凹凸形状から与えられる不快感は低減されるので、快適な撮影ができると共に本体設計の制約が減り、金型は通常の仕上げで充分であるのでそのコスト上昇を防ぐという効果が得られる。
また、ひら当て部内に断熱材３０Ｅを入れることで、本体側面にバッテリー２等の熱源が配置された撮像装置の場合に、手への熱伝達が抑制されるので快適な撮影が可能となるものである。
【００３５】
ところで、上述のように、第１実施例におけるパッド３Ｂ及び第２実施例におけるひら当て部３０Ｂ１は支持具１１Ａから本体１の前面１ａまでの距離Ｌ１よりも長く、ベルト部３Ａ，３０Ａの前側の締結位置（支持シャフト１２Ａの位置）よりも前方に、その張り出し長さＬを任意に折り曲げ部３Ｂ３，３０Ｂ３を位置することができるので、ベルト部３Ａ両端の締結位置（支持具１１Ａ及び支持シャフト１２Ａの位置）の間隔や、本体１の前後方向の外形幅Ｌ０によらず最適なグリップの幅、すなわち、支持具１１Ａから折り曲げ部３Ｂ３，３０Ｂ３の最前部までの幅ＬＨを、手の幅に合わせることが可能になっている。
【００３６】
従って、本体１の幅が小型化により更に小さくなろうとも、手の大きな操作者であっても、また、手の形が如何様であっても、手が局部的に圧迫されることがなく快適な感触で本体１を把持することができる。
特に、小指には折り曲げ部３Ｂ３，３０Ｂ３が包みこむように当たり、良好な感触を得ることができる。
【００３７】
また、ベルト部３Ａ，３０Ａの前方の締結位置１２Ａから折り曲げ部３Ｂ３，３０Ｂ３の内面までのＤの範囲（図８参照）についてベルトは自由であるので、グリップベルト３は、後方の締結位置（支持具１１Ａの位置）を中心として、Ｄの長さに応じた範囲に位置可能である（図２参照）。
【００３８】
これについて、図１１を用いて説明する。
図１１は、本体１の側面図に相当する模式図であり、前後の締結位置１１Ａ，１２Ａと、折り曲げ部３Ｂ３，３０Ｂ３を黒点で示し、ベルト部３Ａ，３０Ａを簡略的に直線で示している。
図１１（ａ）から、折り曲げ部３Ｂ３，３０Ｂ３がとり得る位置の軌跡は、前方の締結位置１２Ａを中心としてそこから折り曲げ部３Ｂ３，３０Ｂ３までの距離Ｄを半径とした円ＲＲの範囲になることが判る。
この円ＲＲ上のＡ，Ｂ点に折り曲げ部３Ｂ３が位置する場合のパッド位置の概略をそれぞれ図１１（ｂ），図１１（ｃ）に示す。
従って、各実施例のグリップベルト３，３０は本体１に対して固定的に配置されるものではないので、様々な手の大きさや形に対しても、また、様々な撮影アングルにおいても最適な把持位置が容易に得られるので、極めて良好で快適な撮影が可能であり、撮影が長時間に及んでも疲れが少ないものである。
【００３９】
さて、本発明の実施例は、上述した構成に限定されるものではなく、本発明の要旨を逸脱しない範囲において例えば下記のように変更が可能である。
簡易固定には簡易固定テープを使用したが他の手段でもよい。
本体におけるベルトの締結位置は本例に限るものではない。後方の支持具は側面の上方あるいは後面に配置してもよい。
また、前方の支持はシャフトに限るものではなく、また、配置位置も前面や底面に配置してもよい。
本体前部１ａの指掛け部７は説明した形態に限るものではなく、無くてもよいものである。
撮影制御用釦８や液晶モニター４等の配置や構成は本実施例に限定されるものではない。
記録再生に使用する記録媒体はテープに限るものではなく、ディスクあるいは固体メモリー等でもよい。
また、動画ではなく静止画を記録再生するデジタルスチルカメラや記録再生機能を持たない、少なくとも撮像レンズと撮像素子を備えた撮像装置にも適用可能なものである。
【００４０】
【発明の効果】
以上詳述したように、請求項１に記載の本願発明によれば、パッド部を略掌大で断熱性を有する部分を含んでなるようにしたので、グリップ部の凹凸に対する不快感や本体からの熱の伝達が低減する。
【００４１】
請求項２に記載の本願発明によれば、パッドを中間部で折り曲げ可能とし、その一方の端部近傍に開口部を設けると共に一方の面の中間部に端部を開口してベルト部を挿通可能にした袋状の挿通部を設け、ベルト部とパッド部とを、ベルト部の両端が共に一方の面側に挿出するように開口部と挿通部とに挿通して組み合わせる構成にしたので、これを撮像装置に取り付けてベルトを締めると、撮像装置を把持する手を掌と甲の両側から柔らかいパッドが接して締めつけると同時に小指の側面を包むようにパッドが当たる。従って、手が局部的に圧迫されることがなく、また、グリップ部の凹凸に対する不快感や熱の伝達が低減する。
【００４２】
請求項３に記載の本願発明によれば、パッドの一方側が略掌大で断熱性を有するので、グリップ部の凹凸に対して不快感がさらに低減し、また、本体からの熱が手に伝わることがない。
【００４３】
請求項４の本願発明によれば、パッドを第１及び第２のパッドとし、ベルト部の両端を伸張すると第１のパッドと第２のパッドとが対向して接近するので、撮像装置を把持する手を掌と甲の両側から柔らかいパッドが接して締めつけて手が局部的に圧迫されることが少なく、グリップ部の凹凸に対して不快感や、本体からの熱の伝達が低減する。
【００４４】
請求項５の本願発明によれば、第１のパッドが略掌大で断熱性を有するのでグリップ部の凹凸に対して不快感がさらに低減し、また、本体からの熱が手に伝わることがない。
【００４５】
請求項６の本願発明によれば、撮像装置に請求項１乃至５のいずれか１項に記載のグリップベルトを備えたので、撮像装置の把持と撮影を快適に行うことができる。
【００４６】
請求項７の本願発明によれば、本体にベルト部を取り付ける取付部の内、後方の取付部位置から本体前面までの距離よりもパッドの長さを長くしたので、本体が小型であっても、撮影者の手が大きくても把持する手が局部的に圧迫されることがなく、また、手首に負担がかかることないので、撮像装置の把持と撮影とをより快適に行うことができるという効果を奏する。
【図面の簡単な説明】
【図１】本発明のグリップベルトの第１実施例とそれを備えた撮像装置を示す外観斜視図である。
【図２】本発明のグリップベルトの第１実施例とそれを備えた撮像装置を示す側面図である。
【図３】本発明の撮像装置の一例における本体要部を説明する部分斜視図である。
【図４】本発明のグリップベルトの第１実施例を示す斜視図である。
【図５】本発明のグリップベルトの第１実施例における展開図である。
【図６】本発明の撮像装置の一例における本体の要部を説明する拡大した部分斜視図である。
【図７】本発明の撮像装置の一例における使用状態を説明する斜視図である。
【図８】本発明の撮像装置の一例における要部の使用状態を説明する斜視図である。
【図９】本発明のグリップベルトの第２実施例を示す斜視図である。
【図１０】本発明のグリップベルトの第２実施例とそれを備えた撮像装置を示す斜視図である。
【図１１】本発明のグリップベルトの第１，第２実施例を備えた撮像装置を説明する模式図である。
【図１２】従来の撮像装置の一例を説明する斜視図である。
【図１３】従来の撮像装置の別の例を使用状態を説明する概略側面図である。
【符号の説明】
１　本体
１ａ　前面
１ｂ　左側面
１ｃ　右側面
１ｄ　天面
１ｅ　後面
１ｆ　底面
２　バッテリー
３，３０，３００　グリップベルト
３Ａ，３０Ａ　ベルト部
３Ａ１，３０Ａ１　輪部
３Ａ２，３０Ａ２　ほつれ止め
３Ｂ，３０Ｂ，３００Ｂ　パッド
３Ｂ０　メインパッド
３Ｂ１，３００Ｂ１　ひら当て部
３Ｂ２，３０Ｂ２　甲当て部
３Ｂ２ａ　甲当て部
３Ｂ３，３０Ｂ３，３００Ｂ３　折り曲げ部
３Ｂ４，３０Ｂ４，３００Ｂ４　孔
３Ｂ５，３０Ｂ５　挿通部
３Ｃ１，３Ｃ２，３Ｄ１，３Ｄ２，３０Ｃ１，３０Ｃ２，３０Ｄ１，３０Ｄ２，３００Ｃ１，３００Ｃ２，３００Ｄ１，３００Ｄ２　簡易固定テープ
３Ｅ　断熱材
４　液晶モニター
５　レンズ部
６　受光部
７　指掛け部
８　釦
９　固定式ファインダー
１０Ａ，１０Ｂ，１０Ｃ　撮像装置
１１Ａ　支持具
１１Ａａ　孔
１２　凹部
１２Ａ　支持シャフト（前方の固定位置）
１３　スタート／ストップボタン
１４　手のひら
１５　手の甲
Ｌ１，Ｌ３，Ｌ３０，ＬＨ　長さ
Ｄ　範囲
ＲＲ　円（軌跡）
【図１】
2004117967.tif 000003
【図２】
2004117967.tif 000004
【図３】
2004117967.tif 000005
【図４】
2004117967.tif 000006
【図５】
2004117967.tif 000007
【図６】
2004117967.tif 000008
【図７】
2004117967.tif 000009
【図８】
2004117967.tif 000010
【図９】
2004117967.tif 000011
【図１０】
2004117967.tif 000012
【図１１】
2004117967.tif 000013
【図１２】
2004117967.tif 000014
【図１３】
2004117967.tif 000015